(57)【要約】      （修正有）【課題】ダウンリンク・ポートが室外の塵埃又は空気汚染の影響を受けて、金属の酸化速度の加速による使用寿命の短縮又は塵埃の積み重ねで故障を招き、はなはだしきには衝突のために変形で機能を失うことを回避する。【解決手段】ＵＳＢ・ハブは、ＵＳＢ・ハブ本体と、直接ＵＳＢ・ハブの本体上に設けた複数個のダウンリンク・ポートと、ケーブルによりＵＳＢ・ハブ本体と接続されるアップリンク・ポートと、ケーブルによりＵＳＢ・ハブ本体と接続し、ＵＳＢ・ハブ本体外部に延びるダウンリンク・ポートとを有する。この考案によれば、前記のアップリンク・ポート及び前記のＵＳＢ・ハブ本体外部に延びたダウンリンク・ポートは、相互に挿接できるとともに、ＵＳＢ・ハブ本体上に付設した複数個のダウンリンク・ポートの一側に整合することで、携帯の便利を得ることができるとともに、ＵＳＢ・ハブ本体上に付設の複数個のダウンリンク・ポートを保護することができる。【選択図】図２
0003111890.tif 000002
【実用新案登録請求の範囲】
【請求項１】
ＵＳＢ・ハブ本体と、
直接ＵＳＢ・ハブ本体上に設けた複数個のダウンリンク・ポートと、
ケーブルによりＵＳＢ・ハブ本体と接続するアップリンク・ポートと、
ケーブルによりＵＳＢ・ハブ本体と接続し、ＵＳＢ・ハブ本体外部に延びたダウンリンク・ポートと、を有し、
前記のアップリンク・ポート及び前記ＵＳＢ・ハブ本体外部に延びたダウンリンク・ポートが、相互に挿接するとともに、ＵＳＢ・ハブ本体の側辺に整合されたことを特徴とするＵＳＢ・ハブ。
【請求項２】
前記のアップリンク・ポート及び前記のＵＳＢ・ハブ本体外部に延びたダウンリンク・ポートが、相互に挿接するとともに、ＵＳＢ・ハブ本体上に付設した複数個のダウンリンク・ポートの一側に整合したことを特徴とする、請求項１記載のＵＳＢ・ハブ。
【請求項３】
前記のＵＳＢ・ハブ本体の側辺にケーブル収納溝を設けることで、前記アップリンク・ポート及びＵＳＢ・ハブ本体外部に延びたダウンリンク・ポートとＵＳＢ・ハブ本体とが接続するケーブルを収容することを特徴とする請求項１記載のＵＳＢ・ハブ。
【考案の詳細な説明】
【技術分野】
【０００１】
この考案は、ＵＳＢ・ハブ（ＵＳＢ Ｈｕｂ）の構成に係り、特に、ＵＳＢ・ハブ本体外に延びたアップリンク・ポート（uplink port）及びダウンリンク・ポート（downlink port）は相互に挿接できるとともに、ＵＳＢ・ハブ本体上に付設された複数個のダウンリンク・ポートの一側に整合できて、携帯の便利が得られ、ＵＳＢ・ハブ上に付設された複数個のダウンリンク・ポートを保護できるＵＳＢ・ハブの構成に係る。
【背景技術】
【０００２】
科学技術の快速的な発展に伴い、すでに各種のコンピュータの周辺に係る周辺商品、例えば、プリンター、携帯ディスク等が広範に応用されており、その中に、メイン・コンピュータと各項のコンピュータ周辺設備とを接続するために図１に示すようなＵＳＢ・ハブの構成がある。
【０００３】
図１に示すように、この種のＵＳＢ・ハブはＵＳＢ・ハブ本体１１と、ＵＳＢ・ハブ本体１１上に付設され、コンピュータの周辺電気製品の相互接続に用いられる複数個のダウンリンク・ポート１２と、ＵＳＢ・ハブ本体１１上に付設され、メイン・コンピュータとの相互接続に用いるアップリンク・ポート１３からなる。
【０００４】
但し、この複数個のダウンリンク・ポート１２が前記ＵＳＢ・ハブ本体１１上の同一側に設置されているために、連結体積がより大きい又はＵＳＢ・ハブの接続プラグがより幅広いコンピュータ周辺電気製品を必要とする場合、常に前記連結に用いるポートの左右両側ポートが阻止されることとなり、その他のコンピュータ周辺電気製品と連結できないことを招き、前記ダウンリンク・ポート１２が前記ＵＳＢ・ハブ本体１１の側辺上に固定設置していることにより、実際に連結するコンピュータ周辺製品の位置と必要により広い活用面に調節配置することができない。
【０００５】
他に前記のＵＳＢ・ハブの構成１を携帯し外出した場合、前記複数個のダウンリンク・ポート１２とアップリンク・ポート１３とは室外の塵埃又は空気汚染による影響で容易に金属の酸化程度を加速し、使用寿命を短縮又は塵埃の積み量なりのため故障に至りはなはだしきには衝突のため、前記複数個のダウンリンク・ポート１２及びアップリンク・ポート１３の変形に至り機能を失うことに至る。
【０００６】
前記ＵＳＢ・ハブの構成１上に付設された前記複数個のダウンリンク・ポート１２が、その中の一つのポートはより大きい体積のコンピュータ周辺製品の連結で左右両側のポートが使用できずに至り、かつ一旦携帯して外出すると塵埃、空気汚染及び衝突等の要素で使用寿命短縮はなはだしきは破損等の欠点に鑑み、この考案の考案者は前記種類の構成に即応し広範の研究を行い、そのためにこの考案を完成した。
【考案の開示】
【０００７】
この考案に係るＵＳＢ・ハブの構成は、ＵＳＢ・ハブ本体と、直接ＵＳＢ・ハブ本体上に設けた複数個のダウンリンク・ポートと、ケーブルを介してＵＳＢ・ハブ本体と相互接続されるアップリンク・ポートと、ケーブルでＵＳＢ・ハブ本体と相互接続し、ＵＳＢ・ハブ本体外部に延びたダウンリンク・ポートとを包括し、前記のアップリンク・ポートと前記のＵＳＢ・ハブ本体外部に延びたダウンリンク・ポートは、相互に挿接できるとともにＵＳＢ・ハブ本体の側辺に整合できることを特徴とする。
【０００８】
この考案のＵＳＢ・ハブの構成によれば、前記のアップリンク・ポートと前記のＵＳＢ・ハブ本体外部に延びたダウンリンク・ポートは、相互に挿接するとともに、ＵＳＢ・ハブ本体上に付設された複数個のダウンリンク・ポートの一側に整合することで、前記複数個のダウンリンク・ポートが室外の塵埃又は空気汚染の影響を受けて、金属の酸化速度の加速による使用寿命の短縮又は塵埃の積み重ねで故障を招き、はなはだしきには衝突のために前記複数個のダウンリンク・ポートの変形で機能を失うことを回避するとともに全体の視覚の美観を増加できる。
【０００９】
この考案のＵＳＢ・ハブの構成によれば、前記ＵＳＢ・ハブ本体の側辺にはケーブル収納溝が設けてあり、前記のアップリンク・ポート及び前記のＵＳＢ・ハブ本体以外に延びたダウンリンク・ポートとＵＳＢ・ハブ本体に接続するケーブルを収納することで、前記のアップリンク・ポート及び前記ＵＳＢ・ハブ本体外部に延びたダウンリンク・ポートが確実に相互挿接するとともに固定整合し、ＵＳＢ・ハブ本体上に付設した複数個のダウンリンク・ポートの一側がずれないことを確保している。さらに前記アップリンク・ポート及びＵＳＢ・ハブ本体外部に延びたダウンリンク・ポートのＵＳＢ・ハブ接続のケーブルを前記の収納溝内に設置しているので、前記ケーブルが衝突のための破損からの保護に達するとともに、全体的な美観の増加ができる。
【考案を実施するための最良の形態】
【００１０】
以下、図面を参照しながらこの考案の実施形態（実施例）について詳細に説明する。
【００１１】
図２はこの考案に係るＵＳＢ・ハブの構成、その中の符号２はこの考案のＵＳＢ・ハブの構成全体を示す。
【００１２】
図２に示すように、前記ＵＳＢ・ハブの構成２は、ＵＳＢ・ハブ本体２１と、ＵＳＢ・ハブ本体２１に設けられ、コンピュータ周辺電器の接続に用いる複数個のダウンリンク・ポート２２と、メイン・コンピュータの接続に用いるアップリンク・ポート２３と、ＵＳＢ・ハブ２１とアップリンク・ポート２３とを接続させるアップリンク・ポートケーブル２３１と、コンピュータ周辺電器の接続に用いるＵＳＢ・ハブ本体外部に延出したダウンリンク・ポート２４と、ＵＳＢ・ハブ本体２１及びダウンリンク・ポート２４を接続するダウンリンク・ポートケーブル２４１と、ＵＳＢ・ハブ本体２１の側辺に設けられ前記アップリンク・ポートケーブル２３１及び前記ダウンリンク・ポートケーブル２４１のケーブル収納溝２５とを包括する。
【００１３】
図３はこの考案のＵＳＢ・ハブの構成使用状態の説明図である。
【００１４】
図３に示すように、前記ＵＳＢ・ハブの構成２が動作使用時において、前記ＵＳＢ・ハブ本体２１は前記アップリンク・ポートケーブル２３１を通して前記のアップリンク・ポート２３に接続し、メイン・コンピュータ３１と接続することで信号を伝送する。さらに前記ＵＳＢ・ハブの構成２も前記ダウンリンク・ポートケーブル２４１を通して、ＵＳＢ・ハブ本体２１外部に延出されたダウンリンク・ポート２４に接続するとともに、コンピュータ周辺電器３２と相互接続されて信号を伝送する。そして前記アップリンク・ポートケーブル２３１及び前記ダウンリンク・ポートケーブル２４１が任意に折曲変形できることにより、前記のＵＳＢ・ハブ本体２１、メイン・コンピュータ３１及びコンピュータ周辺電器３２の相対する設置位置及び方向を必要により比較的容易に広い活用面へ調節できる。しかも前記コンピュータの周辺電器３２の体積がより大きく又は挿接ポートの幅がより大きい場合、前記ＵＳＢ・ハブ本体２１外部に挿結されたダウンリンク・ポート２４を選択できることで、これらのダウンリンク・ポート２２が覆われて使用できなくなるのを回避する。
【００１５】
図４、図５はこの考案のＵＳＢ・ハブの構成収納状態説明図である。
【００１６】
図４、図５に示すように、当該ＵＳＢ・ハブの構成２を収納又は携帯する場合、前記のアップリンク・ポートケーブル２３１及び前記独立のダウンリンク・ポートケーブル２４１を前向きに折曲、前記のアップリンク・ポート２３及びダウンリンク・ポート２４が相互に前記ＵＳＢ・ハブ本体２１に挿設し複数個のダウンリンク・ポート２２の一側を設けることで、前記複数個のダウンリンク・ポート２２を覆ってそれの衝突回避及び塵埃の空気損害を保護するとともに、前記ＵＳＢ・ハブの構成２全体の造形をより美観とし前記ＵＳＢ・ハブの構成２をより容易に携帯及び収納できる。そして前記のアップリンク・ポートケーブル２３１及び前記ダウンリンク・ポートケーブル２４１を前記ケーブル収納溝槽２５中に置き入れ、前記アップリンク・ポート２３及び前記ダウンリンク・ポート２４が確かに相互挿接するのを確保するとともに、ＵＳＢ・ハブ本体２１上に固定整合し、複数個のダウンリンク・ポート２２を付設する一側が位置ずれしないようにし、前記アップリンク・ポートケーブル２３１及び前記独立のダウンリンク・ポートケーブル２４１が衝突のために破損するのを保護できるとともに全体の美観を増加できる。
【００１７】
上述を総合すると、この考案のＵＳＢ・ハブの構成は、前記アップリンク・ポートケーブル２３１及びダウンリンク・ポートケーブル２４１が任意に折曲変形できるため、前記ＵＳＢ・ハブ本体２１、メイン・コンピュータ３１及びコンピュータ周辺電器３２の相対放置位置及び方向をより容易に必要によって広い活用面に調節できる。かつコンピュータ周辺電器３２のようなより大きい体積又は挿接ポートがより幅広い場合、前記のダウンリンク・ポート２４上に挿結する選択ができることで、複数個のダウンリンク・ポート２２を覆い被さるのを回避する。さらに前記アップリンク・ポート２３及び独立のダウンリンク・ポート２４は相互に前記ＵＳＢ・ハブ本体２１へ挿接でき複数個のダウンリンク・ポート２２の一側を設けているので、前記の複数個のダウンリンク・ポート２２を覆い被せることでそれが衝突及び塵埃空気の損害を受けないように保護するとともに、全体の美観がより増加し更に容易な収納及び携帯が得られる、実に携帯性、使用性及び美観を具え兼ねた考案である。
【図面の簡単な説明】
【００１８】
【図１】従来のＵＳＢ・ハブの構成立体図
【図２】この考案のＵＳＢ・ハブの構成立体図
【図３】この考案のＵＳＢ・ハブの構成使用状態説明図
【図４】この考案のＵＳＢ・ハブの構成収納状態説明図
【図５】この考案のＵＳＢ・ハブの構成収納状態説明図
【符号の説明】
【００１９】
１、２  ＵＳＢ・ハブの構成
１１、２１  ＵＳＢ・ハブ本体
１２、２２  ダウンリンク・ポート
１３、２３  アップリンク・ポート
２３１  アップリンク・ポートケーブル
２４  ＵＳＢ・ハブ本体外部に延びたダウンリンク・ポート
２４１  ダウンリンク・ポートケーブル
２５  ケーブル収納溝
３１  メイン・コンピュータ
３２  コンピュータの周辺電器
【図１】
0003111890.tif 000003
【図２】
0003111890.tif 000004
【図３】
0003111890.tif 000005
【図４】
0003111890.tif 000006
【図５】
0003111890.tif 000007